(57)【要約】【課題】複数の通信回線を接続可能なファクシミリ装置において、所定の通信回線のみ親展受信又はセキュリティ受信に設定することができる。【解決手段】ファクシミリ装置２０は、第１の通信回線Ｌ１と第２の通信回線Ｌ２を接続可能であり、操作部５によりセキュリティ受信のための通信回線と、セキュリティ受信以外の通常受信のための通信回線とをそれぞれ第１及び第２の通信回線Ｌ１，Ｌ２のうちのいずれかの通信回線に選択的に設定し、それに応答して、主制御部１はその設定情報を回線受信設定テーブル７ａとしてＲＡＭ７に記憶し、回線受信設定テーブル７ａに基づいてセキュリティ受信のための通信回線として設定された通信回線で受信した画像データをセキュリティ受信のファイルとして画像メモリ８に保存し（ステップＳ７）、通常受信のための通信回線として設定された通信回線で受信した画像データの画像を印刷する（ステップＳ８）ように制御する。【選択図】　図３
2004064520.tif 000002
【特許請求の範囲】
【請求項１】
第１の通信回線と第２の通信回線を含む複数の通信回線を接続可能な通信端末装置において、第１の通信回線で受信した画像データをセキュリティ受信のファイルとして記憶装置に保存する一方、第２の通信回線で受信した画像データの画像を印刷するように制御する制御手段を備えたことを特徴とする通信端末装置。
【請求項２】
第１の通信回線と第２の通信回線を含む複数の通信回線を接続可能な通信端末装置において、セキュリティ受信のための通信回線と、セキュリティ受信以外の通常受信のための通信回線とをそれぞれ上記第１及び第２の通信回線のうちのいずれかの通信回線に選択的に設定する設定手段と、上記セキュリティ受信のための通信回線として設定された通信回線で受信した画像データをセキュリティ受信のファイルとして記憶装置に保存する一方、上記通常受信のための通信回線として設定された通信回線で受信した画像データの画像を印刷するように制御する制御手段を備えたことを特徴とする通信端末装置。
【請求項３】
第１の通信回線と第２の通信回線を含む複数の通信回線を接続可能な通信端末装置において、セキュリティ受信のための通信回線と、セキュリティ受信以外の通常受信のための通信回線とをそれぞれ上記第１及び第２の通信回線のうちのいずれかの通信回線に選択的に設定して、その設定情報を回線受信設定テーブルとして第１の記憶装置に記憶する設定手段と、上記回線受信設定テーブルに基づいて、上記セキュリティ受信のための通信回線として設定された通信回線で受信した画像データをセキュリティ受信のファイルとして第２の記憶装置に保存する一方、上記通常受信のための通信回線として設定された通信回線で受信した画像データの画像を印刷するように制御する制御手段を備えたことを特徴とする通信端末装置。
【発明の詳細な説明】
【０００１】
【発明の属する技術分野】
本発明は、マルチチャンネル機能とセキュリティ受信機能とを有するファクシミリ装置などの通信端末装置に関する。
【０００２】
【従来の技術】
複数の通信回線を接続可能なマルチチャンネル機能を有したファクシミリ装置が実用化されており、このファクシミリ装置では、例えば、複数の通信回線を介して同時に発信や着信が可能である。
【０００３】
また、いわゆる親展受信機能又はセキュリティ受信機能を有するファクシミリ装置が実用化されており、このファクシミリ装置では、相手局からの画像データを受信して画像メモリに格納し、所定の親展ＩＤ又はパスワードを入力しなければ印刷することができないようになっている。
【０００４】
【発明が解決しようとする課題】
上述の複数の通信回線を接続可能なファクシミリ装置において、セキュリティ受信を実行した場合、すべての受信画像データを通信回線によらず画像メモリに蓄積していた。そのため、ある通信回線だけは、会社の社長専用の電話番号というような使い方をしている場合で、その電話番号の通信回線をセキュリティ受信にしたい場合、すべての受信画像データを印刷できないという問題点があった。このとき、だれでも、受信画像データを印刷するためには、だれもが親展ＩＤ又はパスワードを知っている必要があり、この場合、社長宛てに送信されてきた画像データを誰もが見ることが可能なので、情報の機密性という面でも大変不便であった。
【０００５】
本発明の目的は以上の問題点を解決し、複数の通信回線を接続可能な通信端末装置において、所定の通信回線のみ親展受信又はセキュリティ受信に設定することができるファクシミリ装置などの通信端末装置を提供することにある。
【０００６】
【課題を解決するための手段】
第１の発明に係る通信端末装置は、第１の通信回線と第２の通信回線を含む複数の通信回線を接続可能な通信端末装置において、第１の通信回線で受信した画像データをセキュリティ受信のファイルとして記憶装置に保存する一方、第２の通信回線で受信した画像データの画像を印刷するように制御する制御手段を備えたことを特徴とする。
【０００７】
また、第２の発明に係る通信端末装置は、第１の通信回線と第２の通信回線を含む複数の通信回線を接続可能な通信端末装置において、セキュリティ受信のための通信回線と、セキュリティ受信以外の通常受信のための通信回線とをそれぞれ上記第１及び第２の通信回線のうちのいずれかの通信回線に選択的に設定する設定手段と、上記セキュリティ受信のための通信回線として設定された通信回線で受信した画像データをセキュリティ受信のファイルとして記憶装置に保存する一方、上記通常受信のための通信回線として設定された通信回線で受信した画像データの画像を印刷するように制御する制御手段を備えたことを特徴とする。
【０００８】
さらに、第３の発明に係る通信端末装置は、第１の通信回線と第２の通信回線を含む複数の通信回線を接続可能な通信端末装置において、セキュリティ受信のための通信回線と、セキュリティ受信以外の通常受信のための通信回線とをそれぞれ上記第１及び第２の通信回線のうちのいずれかの通信回線に選択的に設定して、その設定情報を回線受信設定テーブルとして第１の記憶装置に記憶する設定手段と、上記回線受信設定テーブルに基づいて、上記セキュリティ受信のための通信回線として設定された通信回線で受信した画像データをセキュリティ受信のファイルとして第２の記憶装置に保存する一方、上記通常受信のための通信回線として設定された通信回線で受信した画像データの画像を印刷するように制御する制御手段を備えたことを特徴とする。
【０００９】
【発明の実施の形態】
以下、図面を参照して本発明に係る実施形態について説明する。
【００１０】
＜実施形態＞
図１は、本発明に係る実施形態である、マルチチャンネル機能とセキュリティ受信機能とを有するファクシミリ装置２０の構成を示すブロック図である。この実施形態に係るファクシミリ装置２０は、第１の通信回線Ｌ１と第２の通信回線Ｌ２を含む複数の通信回線を接続可能なファクシミリ装置であって、操作部５により、セキュリティ受信のための通信回線と、セキュリティ受信以外の通常受信のための通信回線とをそれぞれ第１及び第２の通信回線Ｌ１，Ｌ２のうちのいずれかの通信回線に選択的に設定し、それに応答して、主制御部１はその設定情報を回線受信設定テーブル７ａとしてＲＡＭ７に記憶し、主制御部１は、上記回線受信設定テーブル７ａに基づいて、上記セキュリティ受信のための通信回線として設定された通信回線で受信した画像データをセキュリティ受信のファイルとして画像メモリ８に保存する（図３のステップＳ７）一方、上記通常受信のための通信回線として設定された通信回線で受信した画像データの画像を印刷する（ステップＳ８）ように制御することを特徴としている。
【００１１】
図１において、ファクシミリ装置２０は、従来のＧ３方式等のファクシミリ通信機能を備えるとともに、マルチチャンネル機能とセキュリティ受信機能とを有している。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態を表示したり、送信すべき原稿のイメージデータ、及び受信したイメージデータの表示を行う。
【００１２】
操作部５は、当該ファクシミリ装置２０を操作するために必要なキーを備え、具体的には、テンキー、ワンタッチキー及び各種のファンクションキー等を備える。ここで、テンキーは、”０”から”９”までの１桁の数字キーと、＊キー（アスタリスクキー）と、＃キー（シャープキー）とからなる。なお、上述の表示部４の少なくとも一部をタッチパネル方式とすることにより、この操作部５の各種キーの内の一部又は全部を代用するように構成してもよい。
【００１３】
ＲＯＭ６は、当該ファクシミリ装置２０の動作に必要であって主制御部１によって実行される種々のソフトウェアのプログラムを予め格納し、ここで、当該プログラムは、少なくとも図３の着信処理のプログラムを含む。ＲＡＭ７は、ＳＲＡＭ又はフラッシュメモリ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。なお、ＲＡＭ７及び画像メモリ８をハードディスクメモリで構成してもよい。
【００１４】
ファックスモデム１０ａは、ＮＣＵ（ネットワーク制御回路：Ｎｅｔｗｏｒｋ　Ｃｏｎｔｒｏｌ　Ｕｎｉｔ）１１ａを介して公衆電話回線である第１の通信回線Ｌ１に接続され、ファックスモデム１０ｂは、ＮＣＵ１１ｂ１１ａを介して公衆電話回線である第２の通信回線Ｌ２に接続され、各ファックスモデム１０ａ，１０ｂはそれぞれ、通常のファクシミリ通信用のファックスモデムの機能を有するモデムであり、ＦＳＫ信号として受信される発信電話番号情報のデータを復調して主制御部１に出力する。各ＮＣＵ１１ａ，１１ｂはそれぞれ、アナログの公衆電話回線である第１及び第２の通信回線Ｌ１，Ｌ２の直流ループなどの閉結及び開放の動作を行いかつ自動ダイヤル機能を有するハードウェア回路であり、必要に応じてファックスモデム１０ａ，１０ｂをそれぞれ通信回線Ｌ１，Ｌ２に接続する。ここで、ＮＣＵ１１ａ，１１ｂは、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。
【００１５】
なお、ＮＣＵ１１ａ，１１ｂを所定のターミナルアダプタ及びＤＳＵ（加入者線終端装置：Ｄｉｇｉｔａｌ　Ｓｅｒｖｉｃｅ　Ｕｎｉｔ）を介して、ベースバンド伝送方式のデジタル通信回線（例えば、ＩＳＤＮ回線）に接続するようにしてもよい。通信回線Ｌ１，Ｌ２は例えば、ＩＮＳ６４と呼ばれる１回線のＩＳＤＮ回線であってもよく、この場合、当該ＩＳＤＮ回線はグローバル着信しないように設定されかつ別の追加ダイヤルイン番号が付与され、通信回線Ｌ１は当該ＩＳＤＮ回線の回線番号として登録し、通信回線Ｌ２は上記追加ダイヤルイン番号として登録する。
【００１６】
以上のように構成された本実施形態のファクシミリ装置２０は、通常のＧ３方式等のファクシミリ通信機能に加えて、マルチチャンネル機能とセキュリティ受信機能とを有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。なお、画像メモリ８はイメージデータを必要に応じて記憶し、また逆に記憶しているイメージデータを必要に応じて出力する。
【００１７】
図２は、図１のＲＡＭ７内の回線受信設定テーブル７ａの一例を示す図である。図２の回線受信設定テーブル７ａにおいては、通信回線毎に、画像データをファクシミリ受信して画像メモリ８に記憶した後すぐに画像記録部３を用いて用紙に印刷する通常のファクシミリ受信であるか、もしくは画像データをファクシミリ受信して画像メモリ８に記憶した後親展ＩＤ又はパスワードを入力しなければ印刷できないいわゆる親展受信と呼ばれるセキュリティファクシミリ受信であるかを操作部５を用いて予め設定して記憶している。図２の一例では、第１の通信回線Ｌ１において通常ファクシミリ受信が設定される一方、第２の通信回線Ｌ２においてセキュリティファクシミリ受信が設定されている。
【００１８】
図３は、図１の主制御部１によって実行される着信処理を示すフローチャートである。図３において、まず、ステップＳ１において着呼したか否かが判断され、ＹＥＳとなったときに、ステップＳ２において通信回線毎の設定が有効なモードか否かが判断され、ＹＥＳのときはステップＳ４に進む一方、ＮＯのときはステップＳ３に進む。ステップＳ３において回線受信設定テーブル７ａから第１の通信回線Ｌ１の受信設定を参照し、ステップＳ６に進む。一方、ステップＳ４においては、第１の通信回線Ｌ１での着信か否かが判断され、ＹＥＳのときはステップＳ３に進む一方、ＮＯのときはステップＳ５に進む。ステップＳ５において回線受信設定テーブル７ａから第２の通信回線Ｌ２の受信設定を参照してステップＳ６に進む。ステップＳ６においてセキュリティファクシミリ受信か否かが判断され、ＹＥＳのときはステップＳ７に進む一方、ＮＯのときはステップＳ８に進む。ステップＳ７では、セキュリティファクシミリ受信処理が実行され、画像データをファクシミリ受信して画像メモリ８に記憶した後、親展ＩＤ又はパスワードを入力しなければ印刷できないいわゆる親展受信の待機状態となり、当該着信処理を終了する。一方、ステップＳ８では、通常ファクシミリ受信処理が実行され、画像データをファクシミリ受信して画像メモリ８に記憶した後すぐに画像記録部３を用いて用紙に印刷し、当該着信処理を終了する。
【００１９】
以上説明したように本実施形態によれば、操作部５により、セキュリティ受信のための通信回線と、セキュリティ受信以外の通常受信のための通信回線とをそれぞれ第１及び第２の通信回線Ｌ１，Ｌ２のうちのいずれかの通信回線に選択的に設定し、それに応答して、主制御部１はその設定情報を回線受信設定テーブル７ａとしてＲＡＭ７に記憶し、主制御部１は、上記回線受信設定テーブル７ａに基づいて、上記セキュリティ受信のための通信回線として設定された通信回線で受信した画像データをセキュリティ受信のファイルとして画像メモリ８に保存する（図３のステップＳ７）一方、上記通常受信のための通信回線として設定された通信回線で受信した画像データの画像を印刷する（ステップＳ８）ように制御する。従って、特定の通信回線で受信した画像データは印刷されずに画像メモリ８に蓄積されているので、大切なデータが通信回線毎に個別に管理でき、情報の機密性を保持することができて大変便利である。
【００２０】
＜変形例＞
以上の実施形態においては、ファクシミリ装置２０の例について述べているが、本発明はこれに限らず、公衆電話網又は公衆デジタル通信回線網などの公衆網に接続された、例えば電話機、データ通信装置などを含む通信端末装置に適用することができる。
【００２１】
以上の実施形態においては、２つの通信回線Ｌ１，Ｌ２を接続するファクシミリ装置２０について説明しているが、本発明はこれに限らず、３つ以上の複数の通信回線を接続可能であってもよい。
【００２２】
以上の実施形態においては、操作部５により、セキュリティ受信のための通信回線と、セキュリティ受信以外の通常受信のための通信回線とをそれぞれ第１及び第２の通信回線Ｌ１，Ｌ２のうちのいずれかの通信回線に選択的に設定し、それに応答して、主制御部１はその設定情報を回線受信設定テーブル７ａとしてＲＡＭ７に記憶しているが、本発明はこれに限らず、製造時において予め回線受信設定テーブル７ａの内容を予め設定して着信処理のプログラム上に含ませて処理を実行するようにしてもよい。この場合、回線受信設定テーブル７ａの設定は不要である。
【００２３】
【発明の効果】
以上詳述したように第１の発明に係る通信端末装置によれば、第１の通信回線と第２の通信回線を含む複数の通信回線を接続可能な通信端末装置において、第１の通信回線で受信した画像データをセキュリティ受信のファイルとして記憶装置に保存する一方、第２の通信回線で受信した画像データの画像を印刷するように制御する制御手段を備える。従って、特定の通信回線で受信した画像データは印刷されずに記憶装置に蓄積されているので、大切なデータが通信回線毎に個別に管理でき、情報の機密性を保持することができて大変便利である。
【００２４】
また、第２の発明に係る通信端末装置によれば、第１の通信回線と第２の通信回線を含む複数の通信回線を接続可能な通信端末装置において、セキュリティ受信のための通信回線と、セキュリティ受信以外の通常受信のための通信回線とをそれぞれ上記第１及び第２の通信回線のうちのいずれかの通信回線に選択的に設定する設定手段と、上記セキュリティ受信のための通信回線として設定された通信回線で受信した画像データをセキュリティ受信のファイルとして記憶装置に保存する一方、上記通常受信のための通信回線として設定された通信回線で受信した画像データの画像を印刷するように制御する制御手段を備える。従って、特定の通信回線で受信した画像データは印刷されずに記憶装置に蓄積されているので、大切なデータが通信回線毎に個別に管理でき、情報の機密性を保持することができて大変便利である。
【００２５】
さらに、第３の発明に係る通信端末装置によれば、第１の通信回線と第２の通信回線を含む複数の通信回線を接続可能な通信端末装置において、セキュリティ受信のための通信回線と、セキュリティ受信以外の通常受信のための通信回線とをそれぞれ上記第１及び第２の通信回線のうちのいずれかの通信回線に選択的に設定して、その設定情報を回線受信設定テーブルとして第１の記憶装置に記憶する設定手段と、上記回線受信設定テーブルに基づいて、上記セキュリティ受信のための通信回線として設定された通信回線で受信した画像データをセキュリティ受信のファイルとして第２の記憶装置に保存する一方、上記通常受信のための通信回線として設定された通信回線で受信した画像データの画像を印刷するように制御する制御手段を備える。従って、特定の通信回線で受信した画像データは印刷されずに第２の記憶装置に蓄積されているので、大切なデータが通信回線毎に個別に管理でき、情報の機密性を保持することができて大変便利である。
【図面の簡単な説明】
【図１】本発明に係る実施形態である、マルチチャンネル機能とセキュリティ受信機能とを有するファクシミリ装置２０の構成を示すブロック図である。
【図２】図１のＲＡＭ７内の回線受信設定テーブル７ａの一例を示す図である。
【図３】図１の主制御部１によって実行される着信処理を示すフローチャートである。
【符号の説明】
１…主制御部、
２…画像読取部、
３…画像記録部、
４…表示部、
５…操作部、
６…ＲＯＭ、
７…ＲＡＭ、
７ａ…回線受信設定テーブル、
８…画像メモリ、
１０ａ，１０ｂ…ファックスモデム、
１１ａ，１１ｂ…ＮＣＵ、
１３…バス、
２０…ファクシミリ装置、
Ｌ１…第１の通信回線、
Ｌ２…第２の通信回線。
【図１】
2004064520.tif 000003
【図２】
2004064520.tif 000004
【図３】
2004064520.tif 000005